(57)【要約】【課題】生産性が高く、且つ電磁波を良好に遮蔽することができる電子装置の製造方法を提供する。【解決手段】複数の配線基板領域を有する大型基板を形成し、該大型基板の各配線基板領域に、グランド配線パターンを形成するとともに、上面に複数の接続電極を有する電子部品素子を載置する工程１と、前記グランド配線パターンと前記接続電極とを、ループ形状をなす金属細線を介して接続する工程２と、絶縁性を有する第１の液状樹脂を、前記電子部品素子全体を覆い、且つ前記金属細線の一部が露出するようにして、全ての配線基板領域にわたって塗布することにより絶縁性樹脂を形成する工程３と、導電性粒子を含有する第２の液状樹脂を、前記絶縁性樹脂の上面及び金属細線の露出部を覆うようにして全ての配線基板領域にわたって塗布することにより金属細線と電気的に接続させた導電性樹脂を形成する工程４と、前記大型基板を各配線基板領域の外周に沿って切断することにより複数の電子装置を切り出す工程５と、によって電子装置を製造する。【選択図】図３
2005072392.tif 000002
【特許請求の範囲】
【請求項１】
複数の配線基板領域を有する大型基板を形成し、該大型基板の各配線基板領域に、グランド配線パターンを形成するとともに、上面に複数の接続電極を有する電子部品素子を載置する工程１と、
前記グランド配線パターンと前記接続電極とを、ループ形状をなす金属細線を介して接続する工程２と、
絶縁性を有する第１の液状樹脂を、前記電子部品素子全体を覆い、且つ前記金属細線の一部が露出するようにして、全ての配線基板領域にわたって塗布することにより絶縁性樹脂を形成する工程３と、
導電性粒子を含有する第２の液状樹脂を、前記絶縁性樹脂の上面及び金属細線の露出部を覆うようにして全ての配線基板領域にわたって塗布することにより金属細線と電気的に接続させた導電性樹脂を形成する工程４と、
前記大型基板を各配線基板領域の外周に沿って絶縁性樹脂及び導電性樹脂と共に切断することにより複数の電子装置を切り出す工程５と、を含む電子装置の製造方法。
【発明の詳細な説明】
【技術分野】
【０００１】
本発明は、携帯電話機やパーソナルコンピュータ等の通信機器、電子機器等に組み込まれる電子装置の製造方法に関するものである。
【背景技術】
【０００２】
従来より、携帯電話機等の通信機器、電子機器等に高周波回路を備えた電子装置が用いられている。
【０００３】
このような従来の電子装置としては、例えば図４に示す如くグランド配線パターンや信号配線パターン等の表面配線パターン５２を有する配線基板５１上面に、IC素子等の電子部品素子５３を載置させるとともに、電子部品素子５３上面に設けられている接続電極５４と前記表面配線パターン５２とを、金属細線５５を介して電気的に接続させ、更に電子部品素子５３を絶縁性を有する樹脂５６により被覆した構造のものが知られている（例えば、特許文献１参照。）。
【０００４】
ところで上述した従来の電子装置５０においては、携帯電話等の電子機器内に組み込んで使用した際、電子装置５０の周囲に配置される他の電子装置からの電磁的な影響によって、電子装置の電気的特性が劣化するといった不都合を有している。
【０００５】
そこで、上記のような不都合を解消するために、図５に示す如く、電子部品素子５３をグランド電位に保持される金属製のシールドケース６０で覆っておくことが考えられる（例えば、特許文献２参照。）。
【０００６】
このようなシールドケース６０の配線基板５１への取り付けは、配線基板５１の側面に切り欠き部を形成しておき、シールドケース６０の外周部に設けられた接合脚部を前記切り欠き部に挿入し、該挿入部を切り欠き部に半田接合することにより行われる。
【０００７】
またこのような電子装置を多数個取りする場合は、前記配線基板５１ごとに表面配線パターン５２が形成された大型基板を用意し、該大型基板の各配線基板領域に接続電極５４を有する電子部品素子５３を載置させ、次に前記表面配線パターン５２と接続電極５４とを金属細線５５により接続し、しかる後、前記大型基板を配線基板領域ごとに分割し、最後に上述のようにしてシールドケース６０を個々の配線基板５１に取り付けることにより製品としての電子装置が完成する。
【特許文献１】実用新案登録第２５８３２４２号公報
【特許文献２】特開平８−１７９５５号公報（図４、図５）
【発明の開示】
【発明が解決しようとする課題】
【０００８】
しかしながら上述したシールドケース６０を用いるタイプの電子装置の製造方法では、シールドケース６０の取り付けに際して、シールドケース６０の接合脚部を配線基板の切り欠き部に挿入する工程や挿入部を半田接合する工程などを要するため電子装置の組立作業が複雑になってしまう。また、電子装置を多数個取りする場合には、シールドケース６０の取り付け作業を各配線基板５１に対して個々に行わなければならない。その結果、シールドケース６０の取り付け工程に長時間を要してしまい、電子装置の生産性の向上に供することが不可となる不都合があった。
【０００９】
本発明は上記欠点に鑑み案出されたもので、その目的は、生産性が高く、且つ電磁波を良好に遮蔽することができる電子装置の製造方法を提供することにある。
【課題を解決するための手段】
【００１０】
本発明の電子装置の製造方法は、複数の配線基板領域を有する大型基板を形成し、該大型基板の各配線基板領域に、グランド配線パターンを形成するとともに上面に複数の接続電極を有する電子部品素子を載置する工程１と、前記グランド配線パターンと前記接続電極とを、ループ形状をなす金属細線を介して接続する工程２と、絶縁性を有する第１の液状樹脂を、前記電子部品素子全体を覆い、且つ前記金属細線の一部が露出するようにして、全ての配線基板領域にわたって塗布することにより絶縁性樹脂を形成する工程３と、導電性粒子を含有する第２の液状樹脂を、前記絶縁性樹脂の上面及び金属細線の露出部を覆うようにして全ての配線基板領域にわたって塗布することにより金属細線と電気的に接続させた導電性樹脂を形成する工程４と、前記大型基板を各配線基板領域の外周に沿って絶縁性樹脂及び導電性樹脂と共に切断することにより複数の電子装置を切り出す工程５と、を含むことを特徴とするものである。
【発明の効果】
【００１１】
本発明によれば、導電性粒子を含有する第２の液状樹脂を、絶縁性樹脂の上面及び金属細線の露出部を覆うようにして配線基板領域にわたって塗布することにより電磁波遮蔽機能を有する導電性樹脂を形成するようにしている。これによって、シールドケースの取り付け作業のように煩雑な組立て作業を行うことなく、簡単に電子装置を電磁的にシールドできるようになるため電子装置の生産性を向上させることが可能となる。
【００１２】
また、電子装置を多数個取りする際には、導電性樹脂を全ての配線基板領域に対して一度に形成できるため電子装置の生産性を向上させることが可能となる。
【発明を実施するための最良の形態】
【００１３】
以下、本発明を添付図面に基づいて詳細に説明する。図１は本発明の製造方法によって製作された電子装置の外観斜視図、図２は図１の電子装置のＡ−Ａ線断面図である。
【００１４】
同図に示す電子装置２０は、大略的に、配線基板１、電子部品素子２、絶縁性樹脂３、導電性樹脂４とで構成されている。
【００１５】
前記配線基板１は、複数個の絶縁層を厚み方向に積層してなる略矩形状の積層体により構成されており、これら絶縁層間には多数の回路配線が介在され、これらの回路配線を絶縁層中に埋設されているビアホール導体等を介して相互に電気的に接続させている。
【００１６】
このような配線基板１を構成する絶縁層の材質としては、例えばガラスセラミックス等のセラミック材料が用いられ、個々の絶縁層の厚みは例えば５０μm〜３００μmに設定される。
【００１７】
一方、配線基板１の主面にはグランド配線パターン５や信号配線パターン（図示せず）が形成されている。
【００１８】
前記グランド配線パターン５は、配線基板１内部のビアホール導体等を介して配線基板１の下面あるいは側面に形成される外部接続導体（図示せず）に接続される。前記外部接続導体は、電子装置２０が実装されるマザーボードに設けられたグランド配線に電気的に接続されており、これによりグランド配線パターン５は、電子装置２０の使用時、グランド電位に保持されるようになっている。
【００１９】
尚、グランド配線パターン５は、例えば、Ａｇ、Ａｇ−Ｐｄ、Ａｇ−Ｐｔ等のＡｇ系材料からなり、その厚みは５μｍ〜８０μmに設定される。
【００２０】
このような配線基板１の上面には、ＩＣ素子や半導体素子等の電子部品素子２が載置され、例えばダイボンド材や導電性樹脂等を介して配線基板１に機械的に固定される。尚、本実施の形態においては、１つの配線基板に対して１個の電子部品素子が搭載されている。
【００２１】
この電子部品素子２の上面には、複数の接続電極６が形成されており、該接続電極６はグランド配線パターン５あるいは、信号配線パターンと金属細線７を介して電気的に接続され、信号配線パターンに接続している金属細線６の最上部の高さは、グランド配線パターン５に接続している金属細線６の最上部の高さよりも低く位置設定されている。
【００２２】
前記金属細線７は、従来周知のワイヤボンディングにより形成され、その形状は、例えば“山なり”をなすループ形状になっている。
【００２３】
尚、金属細線７は、例えばＡｕやＡｌ等の金属材料からなり、その直径は１８μｍ〜３５μｍである。
【００２４】
そして電子部品素子２は、絶縁性樹脂３及び導電性樹脂４によって順次被覆されている。ただし、絶縁性樹脂２は前記金属細線７の最上部が露出するようにして、また導電性樹脂４は絶縁性樹脂３及び金属細線７の露出部を覆うようにして電子部品素子２を被覆している。
【００２５】
絶縁性樹脂３は、電子部品素子２を外部からの衝撃より保護する保護膜としての機能と、電子部品素子２を気密封止するための封止層としての機能とを有している。
【００２６】
このような絶縁性樹脂３の材料としては、エポキシ樹脂等の熱硬化性樹脂に硬化剤、硬化促進剤、その他必要に応じて無機質充填剤等を添加・混合したものが使用される。
【００２７】
一方、導電性樹脂材４は、金属細線７と電気的に接続されており、電子装置２０の使用時、導電性樹脂材４を前記金属細線７及びグランド配線パターン５を介してグランド電位に保持することにより、電磁波を導電性樹脂材４によって良好に遮蔽することができるようになる。
【００２８】
このような導電性樹脂材４は、例えば、先に述べた絶縁性樹脂材３と同様の樹脂材料、例えばエポキシ樹脂、シリコン樹脂、ポリイミド樹脂等の中にＡｕ、Ａｇ、Ｃｕ等の導電性粒子及び硬化剤、硬化促進剤、その他必要に応じて無機質充填剤を添加・混合したものが使用される。
【００２９】
尚、前記導電性粒子の含有量は、導電性樹脂材全体の重量に対して、例えば７５〜８８重量％の範囲に設定される。
【００３０】
かくして上述した電子装置は、配線基板１に搭載されている電子部品素子２を絶縁性樹脂材３によって被覆し、該絶縁性樹脂材３を導電性樹脂材４によって被覆することにより、シールドケースを使用することなく電磁波を導電性樹脂材４によって良好に遮蔽することができるようになる。
【００３１】
次に、上述した電子装置の製造方法について図３を用いて説明する。
【００３２】
（工程１）まず、複数の配線基板領域を有する大型基板２０を形成し、該大型基板２０の各配線基板領域に、グランド配線パターン５を形成するとともに、上面に複数の接続電極６を有する電子部品素子２を載置する。
【００３３】
本実施の形態においては、図３（a）に示すように６つの配線基板領域が３×２のマトリクス状に配置されている。
【００３４】
このような大型基板２０は、ガラスセラミックス等のセラミック材料の原料粉末に適当な有機溶剤、有機溶媒等を添加・混合して得たセラミックグリーンシートを複数枚積層した上、これをプレス成形し、しかる後、この積層体を高温で焼成し、外形加工することによって製作される。
【００３５】
また、配線基板１の上面に設けられるグランド配線パターン５や配線基板１の内部に設けられる回路配線等は、各セラミックグリーンシートの表面に予めスクリーン印刷等によって導体ペーストを塗布しておき、焼成することにより形成される。
【００３６】
尚、これらグランド配線パターン５や回路配線用の導体ペーストは、例えば、Ａｇ、Ａｇ−Ｐｄ、Ａｇ−Ｐｔ等のＡｇ系粉末、ホウ珪酸系低融点ガラスフリット、エチルセルロース等の有機バインダー、有機溶剤等を混合したものが使用される。
【００３７】
そして、大型基板２０の上面の各配線基板領域には、図３（ｂ）に示すように、ＩＣ素子等の電子部品素子２が載置され、ダイボンド材や導電性接着剤を介して大型基板２０に固定される。
【００３８】
また、大型基板２０の下面には、所定位置にマーキングを施しておく。このマーキングは、後述する工程５における大型基板の切断に際して切断位置を認識するためのものである。
【００３９】
（工程２）次に、グランド配線パターン５と接続電極６とを、ループ形状をなす金属細線７を介して接続する。
【００４０】
この金属細線７は、従来周知のワイヤボンディングにより形成され、その形状は、例えば“山なり”をなすループ形状になっている。また、信号配線パターンに接続される金属細線７は、その最上部の高さがグランド配線パターン５に接続される金属細線７の最上部の高さよりも低く位置設定してボンディングされる。
【００４１】
尚、グランド用金属細線９及び信号用金属細線１０は、例えばＡｕやＡｌ等の金属材料からなり、その直径は１８μｍ〜３５μｍである。
【００４２】
（工程３）次に、絶縁性を有する第１の液状樹脂を、全ての電子部品素子２を覆い、且つグランド配線パターン５と接続している金属細線７の一部が露出するようにして、全ての配線基板領域にわたって塗布することにより絶縁性樹脂３を形成する。
【００４３】
前記第１の液状樹脂としては、エポキシ樹脂等の熱硬化性樹脂に硬化剤、硬化促進剤、その他必要に応じて無機質充填剤等を添加・混合したものが用いられ、図３（ｃ）に示す如く金属細線７の最上部が露出するようにして全ての配線基板領域にわたり塗布し、硬化させることにより絶縁性樹脂３が形成される。
【００４４】
第１の液状樹脂の塗布方法としては、スクリーン印刷法を採用することが好ましい。これによって電子部品素子２の周囲に良好に液状樹脂が充填されるようになり、電子装置の気密性や耐久性を高めることができる。
【００４５】
（工程４）次に、導電性粒子を含有する第２の液状樹脂を、前記絶縁性樹脂３の上面及び金属細線７の露出部を覆うようにして全ての配線基板領域にわたって塗布することにより金属細線７と電気的に接続させた導電性樹脂４を形成する。
【００４６】
前記第２の液状樹脂としては、例えば、エポキシ樹脂、シリコン樹脂、ポリイミド樹脂等の中にＡｕ、Ａｇ、Ｃｕ等の導電性粒子及び硬化剤、硬化促進剤、その他必要に応じて無機質充填剤を添加・混合したものが用いられる。そして第２の液状樹脂を、図３（ｄ）に示す如く絶縁性樹脂３の上面及び金属細線７の露出部を覆うようにして従来周知のスクリーン印刷法等により全ての配線基板領域にわたって塗布し、硬化させることにより導電性樹脂４が形成される。
【００４７】
尚、前記導電性粒子の含有量は、導電性樹脂材全体の重量に対して、例えば７５〜８８重量％の範囲に設定される。
【００４８】
これによって、電磁遮蔽機能を有する導電性樹脂を全ての配線基板領域に対して簡単な作業で一度に形成できるため、電子装置の生産性を向上させることが可能となる。
【００４９】
（工程５）最後に、大型基板２０を各配線基板領域の外周に沿って切断することにより複数の電子装置を切り出す。
【００５０】
かかる大型基板２０の切断は、まず大型基板２０を反転させて大型基板２０の下面を上側に向け、下面に付けられたマーキングに基づいて画像認識装置により配線基板領域間の境界を認識しながらダイシング装置を用いて配線基板領域の境界に沿ってマトリクス状に切断することにより行われる。このようにして略矩形状の複数の電子装置が同時に製作される。
【００５１】
尚、本発明は上述の実施形態に限定されるものではなく、本発明の要旨を逸脱しない範囲において種々の変更、改良が可能である。
【００５２】
上述の実施形態においては、絶縁性樹脂３の材料として熱硬化性樹脂を用いたがこれに代えて紫外線硬化性樹脂を用いてもかまわない。
【００５３】
また上述の実施形態においては、液状樹脂の塗布方法としてスクリーン印刷法を採用したが、これに代えてトランスファーモールド法により液状樹脂の塗布を行うようにしてもかまわない。この場合、絶縁性樹脂３及び導電性樹脂４の平坦性を良好になすことができる。
【００５４】
更に上述の実施形態においては、大型基板２０をダイシングにより切断したが、これに代えてレーザーを用いて切断するようにしてもかまわない。レーザーを用いた場合は、電子装置を種々の形状に切り出すことが可能である。
【００５５】
また更に上述の実施形態においては、１個の電子部品素子４を配線基板１に搭載させたが、複数個の電子部品素子４を搭載するようにしてもよい。
【００５６】
更にまた上述の実施形態においては、配線基板１をガラスセラミックスにより形成するようにしたが、これに代えて、アルミナセラミックス等の他のセラミック材料やガラス布基材エポキシ樹脂等の有機材料を用いて配線基板１を形成するようにしても構わない。
【図面の簡単な説明】
【００５７】
【図１】本発明の一実施形態に係る電子装置の外観斜視図である。
【図２】図１の電子装置のＡ−Ａ線断面図である。
【図３】（a）〜（ｄ）は本発明の一実施形態に係る製造方法を説明するための工程ごとの外観斜視図である。
【図４】従来の電子装置の断面図である。
【図５】従来の電子装置の断面図である。
【符号の説明】
【００５８】
１・・・・配線基板
２・・・・電子部品素子
３・・・・絶縁性樹脂材
４・・・・導電性樹脂材
５・・・・グランド配線パターン
６・・・・信号配線パターン
７・・・・グランド電極端子
８・・・・信号電極端子
９・・・・グランド用金属細線
１０・・・信号用金属細線
２０・・・大型基板
【図１】
2005072392.tif 000003
【図２】
2005072392.tif 000004
【図３】
2005072392.tif 000005
【図４】
2005072392.tif 000006
【図５】
2005072392.tif 000007